(57)【要約】  データ記憶および取出システムは、回転運動に適合され、かつ作用面に配置された複数のヘッドを有する、ヘッドキャリッジユニットを含み、ヘッドキャリッジユニットは回転運動に適合されている。システムは、テープ媒体にヘッドキャリッジユニットの作用面を通過させるように構成されたテープ駆動ユニットをさらに含み、テープ媒体の幅はヘッドキャリッジユニットの作用面の幅とほぼ等しい。ヘッドキャリッジユニットが回転してテープが作用面を通過すると、第１のヘッドがテープにデータトラックを書込むように構成され、第２のヘッドがその後でデータトラックを読出すように構成され、第２のヘッドによって読出されたデータはデータ消去を確認する際に用いられる。
2015533446.tif 000002
【特許請求の範囲】
【請求項１】
データ記憶および取出システムであって、
作用面に配置された複数の光学ヘッドを有するヘッドキャリッジユニットを備え、前記ヘッドキャリッジユニットは回転運動に適合されており、前記システムはさらに、
光学テープ媒体に前記ヘッドキャリッジユニットの前記作用面を通過させるように構成されたテープ駆動ユニットを備え、
前記ヘッドキャリッジユニットが回転して前記テープが前記作用面を通過すると、前記複数の光学ヘッドのうちの第１のヘッドが前記テープにデータトラックを書込むように構成され、前記複数の光学ヘッドのうちの第２のヘッドがその後で前記データトラックを読出すように構成され、前記第２の光学ヘッドによって読出されたデータはデータ消去を確認する際に用いられる、システム。
【請求項２】
前記複数の光学ヘッドの各々は、前記光学テープ媒体にデータトラックを書込むように、かつ前記光学テープ媒体からデータトラックを読出すように構成される、請求項１に記載のシステム。
【請求項３】
前記ヘッドキャリッジユニットは実質的にディスク形状であり、前記作用面は実質的に円形であり、前記複数のヘッドは前記作用面上に円形に配列される、請求項１に記載のシステム。
【請求項４】
前記複数の光学ヘッドのうちの前記第２のヘッドは、前記複数の光学ヘッドのうちの前記第１のヘッドに直接隣接して前記作用面上に配置され、前記複数のヘッドの各々は、前記作用面上での前記ヘッドキャリッジユニットに対する半径方向の動き用に構成される、請求項３に記載のシステム。
【請求項５】
前記ヘッドキャリッジユニットが回転して前記テープが前記作用面を通過すると、前記複数の光学ヘッドのうちの第３のヘッドが前記テープにデータトラックを書込むように構成され、前記複数の光学ヘッドのうちの第４のヘッドがその後で前記データトラックを読出すように構成され、前記第４の光学ヘッドによって読出されたデータはデータ消去を確認する際に用いられる、請求項４に記載のシステム。
【請求項６】
前記テープ媒体の幅は前記複数の光学ヘッドの円の直径よりも小さい、請求項３に記載のシステム。
【請求項７】
前記テープ媒体の幅は前記複数の光学ヘッドの円の直径よりも大きい、請求項３に記載のシステム。
【請求項８】
データ記憶および取出システムであって、
作用面に配置された複数のヘッドを有するヘッドキャリッジユニットを備え、前記ヘッドキャリッジユニットは回転運動に適合されており、前記システムはさらに、
テープ媒体に前記ヘッドキャリッジユニットの前記作用面を通過させるように構成されたテープ駆動ユニットを備え、前記テープ媒体の幅は前記ヘッドキャリッジユニットの前記作用面の幅とほぼ等しく、
前記ヘッドキャリッジユニットが回転して前記テープが前記作用面を通過すると、前記複数のヘッドのうちの第１のヘッドが前記テープにデータトラックを上書きするように構成され、前記複数のヘッドのうちの第２のヘッドがその後で前記データトラックを読出すように構成され、前記第２のヘッドによって読出されたデータはデータ消去を確認する際に用いられる、システム。
【請求項９】
前記複数のヘッドは光学ヘッドを含み、前記テープ媒体は光学テープを含み、前記複数の光学ヘッドの各々は、前記光学テープにデータトラックを書込むように、かつ前記光学テープからデータトラックを読出すように構成される、請求項８に記載のシステム。
【請求項１０】
前記ヘッドキャリッジユニットは実質的にディスク形状であり、前記作用面は実質的に円形であり、前記複数のヘッドは前記作用面上に円形に配列される、請求項８に記載のシステム。
【請求項１１】
前記複数のヘッドのうちの前記第２のヘッドは、前記複数のヘッドのうちの前記第１のヘッドに直接隣接して前記作用面上に配置され、前記複数のヘッドの各々は、前記作用面上での前記ヘッドキャリッジユニットに対する半径方向の動き用に構成される、請求項１０に記載のシステム。
【請求項１２】
前記ヘッドキャリッジユニットが回転して前記テープが前記作用面を通過すると、前記複数のヘッドのうちの第３のヘッドが前記テープにデータトラックを書込むように構成され、前記複数のヘッドのうちの第４のヘッドがその後で前記データトラックを読出すように構成され、前記第４のヘッドによって読出されたデータはデータ消去を確認する際に用いられる、請求項１１に記載のシステム。
【請求項１３】
前記テープ媒体の幅は前記複数のヘッドの円の直径よりも小さい、請求項１０に記載のシステム。
【請求項１４】
前記テープ媒体の幅は前記複数のヘッドの円の直径よりも大きい、請求項１０に記載のシステム。
【請求項１５】
データ記憶および取出方法であって、
作用面に配置された複数の光学ヘッドを有するヘッドキャリッジユニットを回転させるステップと、
テープに前記ヘッドキャリッジユニットの前記作用面を通過させるステップと、
前記ヘッドキャリッジユニットが回転して前記テープが前記作用面を通過すると、前記複数の光学ヘッドのうちの第１のヘッドを用いて光学テープ媒体にデータトラックを書込むステップと、
前記ヘッドキャリッジユニットが回転して前記テープが前記作用面を通過すると、前記複数の光学ヘッドのうちの第２のヘッドを用いて前記データトラックを読出すステップとを備え、前記第２の光学ヘッドによって読出されたデータはデータ消去確認の際に用いられる、方法。
【請求項１６】
前記ヘッドキャリッジユニットは実質的にディスク形状であり、前記作用面は実質的に円形であり、前記複数のヘッドは前記作用面上に円形に配列され、前記複数の光学ヘッドのうちの前記第２のヘッドは、前記複数の光学ヘッドのうちの前記第１のヘッドに直接隣接して前記作用面上に配置され、前記複数の光学ヘッドの各々は、前記作用面上での前記ヘッドキャリッジユニットに対する半径方向の動き用に構成される、請求項１５に記載の方法。
【請求項１７】
前記ヘッドキャリッジユニットが回転して前記テープが前記作用面を通過すると、前記複数の光学ヘッドのうちの第３のヘッドを用いて前記データトラックにデータを書込むステップと、
前記ヘッドキャリッジユニットが回転して前記テープが前記作用面を通過すると、前記複数の光学ヘッドのうちの第４のヘッドを用いて前記データトラックを読出すステップとをさらに備え、前記第４の光学ヘッドによって読出されたデータはデータ消去確認の際に用いられ、
前記複数の光学ヘッドのうちの前記第３のヘッドは、前記複数の光学ヘッドのうちの前記第２のヘッドに直接隣接して前記作用面上に配置され、前記複数の光学ヘッドのうちの前記第４のヘッドは、前記複数の光学ヘッドのうちの前記第３のヘッドに直接隣接して前記作用面上に配置される、請求項１６に記載の方法。
【請求項１８】
前記複数の光学ヘッドのうちの第１のヘッドを用いて前記データトラックにデータを書込むステップは、前記複数の光学ヘッドのうちの前記第１のヘッドを用いて前記データトラックにデータを上書きするステップを含み、前記複数の光学ヘッドのうちの第３のヘッドを用いて前記データトラックにデータを書込むステップは、前記複数の光学ヘッドのうちの前記第３のヘッドを用いて前記データトラックにデータを上書きするステップを含む、請求項１７に記載の方法。
【請求項１９】
前記テープ媒体の幅は前記複数の光学ヘッドの円の直径よりも小さい、請求項１６に記載の方法。
【請求項２０】
前記テープ媒体の幅は前記複数の光学ヘッドの円の直径よりも大きい、請求項１６に記載の方法。
【発明の詳細な説明】
【技術分野】
【０００１】
以下は、テープ媒体および回転ヘッドを利用し、かつデータ消去を提供する、データ記憶および取出のためのシステムならびに方法に関する。
【背景技術】
【０００２】
背景
磁気および光学テープ媒体は、データバックアップまたはアーカイブ作業などにおける大量のデータの長期保管のためによく用いられる。典型的なテープデータ記憶および取出方法は、テープを縦に走るトラックへのデータの記録または書込と、テープからのそのようなデータトラックの取出または読出とを含む。複数ストライプヘッドを用いて、多くの平行トラックの書込および／または読出が行われる。磁気ヘッドは９６本よりも多いトラックを有し得、磁気テープの幅に沿って軽く揺れてより多くのトラックを書込むおよび／または読出す能力を有する。レーザヘッドを用いる光学テープデータ記憶および取出システムも同様に動作する。
【０００３】
上記の複数ストライプヘッド設計は、テープ長がアーカイブ作業などにおいて容量を増やすために長くなるにつれて、テープの端に記憶されたデータにアクセスするのにかかる時間が長くなるため、非効率になる。短いテープは長いテープよりもアクセス時間が短くなるが、短いテープ長は記憶容量もより制限されるため、大量のデータを伴うアーカイブ作業が妨げられてしまう。容量を増大させる幅広テープは、ヘッドにより多くのトランスデューサを必要とする。データスループットも、テープ幅およびヘッド数の要因である。複数ストライプヘッド設計に対する制限は、読出および書込ヘッドの数、ならびにテープ全幅を含む。
【０００４】
大量のデータを消去しなければならないとき、データ記録において問題が発生する。磁気記録では、これは強磁場によってバルク消去でなされ得る。磁気記録装置はランダムまたはブランクパターンを保証するために各データビットについて書込動作も用い得るが、これは時間がかかり得る。位相変化媒体を用いる光学記録装置はバルクデータ消去方法が不可能であり、ランダムまたはブランクビットの再書込はやはり時間がかかるであろう。
【０００５】
磁気テープにおける消去方法の性能は、消去を確認するための読出後の消去サイクルを義務付け得るデータセキュリティ要件によっても妨げられる。実際、そのような要件は、データが削除されたことを確かめるためにあらゆる手段を尽くし得る。厳しいセキュリティ基準を満たすために、繰返される消去サイクルは最大７回要求され得る。データがバルク消去方法で記憶媒体に書込まれると、データ完全性を検証することによって消去を確認するために情報をリードバックすることが必要である。典型的な光学記録装置（ＤＶＤ等）は、これら位相変化媒体が単一のレーザ要素を用いて容易にリードバックされないため、この機能を実行するように設計されていない。
【０００６】
したがって、改良されたテープ媒体データ記憶システムおよび方法が必要とされる。そのようなシステムおよび方法は、回転ヘッドキャリッジアセンブリ上の使用可能な複数のヘッド要素を用いてバルクデータ消去を実行可能な回転ヘッド設計を含むであろう。付加的な専用読出ヘッドを必要とせずにそのようにするために、既存の書込ヘッドが読出モードで利用されるであろう。
【発明の概要】
【課題を解決するための手段】
【０００７】
概要
ここに開示される一実施形態によると、データ記憶および取出システムが提供される。システムは、作用面に配置された複数の光学ヘッドを有するヘッドキャリッジユニットを含み、ヘッドキャリッジユニットは回転運動に適合されている。システムはさらに、光学テープ媒体にヘッドキャリッジユニットの作用面を通過させるように構成されたテープ駆動ユニットを含む。
【０００８】
ヘッドキャリッジユニットが回転してテープが作用面を通過すると、複数の光学ヘッドのうちの第１のヘッドがテープにデータトラックを書込むように構成され、複数の光学ヘッドのうちの第２のヘッドがその後でデータトラックを読出すように構成される。第２の光学ヘッドによって読出されたデータはデータ消去を確認する際に用いられる。
【０００９】
ここに開示される別の実施形態によると、データ記憶および取出システムが提供される。システムは、作用面に配置された複数のヘッドを有するヘッドキャリッジユニットを含み、ヘッドキャリッジユニットは回転運動に適合されている。システムはさらに、テープ媒体にヘッドキャリッジユニットの作用面を通過させるように構成されたテープ駆動ユニットを含み、テープ媒体の幅はヘッドキャリッジユニットの作用面の幅とほぼ等しい。
【００１０】
ヘッドキャリッジユニットが回転してテープが作用面を通過すると、複数のヘッドのうちの第１のヘッドがテープにデータトラックを上書きするように構成され、複数のヘッドのうちの第２のヘッドがその後でデータトラックを読出すように構成される。第２のヘッドによって読出されたデータはデータ消去を確認する際に用いられる。
【００１１】
ここに開示されるさらに別の実施形態によると、データ記憶および取出方法が提供される。方法は、作用面に配置された複数の光学ヘッドを有するヘッドキャリッジユニットを回転させるステップと、テープにヘッドキャリッジユニットの作用面を通過させるステップとを含む。方法はさらに、ヘッドキャリッジユニットが回転してテープが作用面を通過すると、複数の光学ヘッドのうちの第１のヘッドを用いて光学テープ媒体にデータトラックを書込むステップと、ヘッドキャリッジユニットが回転してテープが作用面を通過すると、複数の光学ヘッドのうちの第２のヘッドを用いてデータトラックを読出すステップとを含み、第２の光学ヘッドによって読出されたデータはデータ消去確認の際に用いられる。
【００１２】
これらの実施形態および添付の図面の詳細な説明を以下に述べる。
【図面の簡単な説明】
【００１３】
【図１】ここに開示されるデータ記憶および取出システムの実施形態の斜視図である。
【図２】ここに開示されるデータ記憶および取出システムの実施形態の上面図である。
【図３】ここに開示されるデータ記憶および取出システムの実施形態の側面図である。
【図４】ここに開示されるデータ記憶および取出方法の実施形態を示す簡略化したフローチャートの図である。
【発明を実施するための形態】
【００１４】
詳細な説明
図１〜図４を参照して、テープ媒体および回転ヘッドを利用するデータ記憶および取出システムならびに方法を説明する。説明を簡単にして理解を容易にするため、ここでは図面全体にわたって同様の構成要素および特徴には同様の参照番号を使用している。
【００１５】
上述のように、磁気および光学テープ媒体は、データバックアップまたはアーカイブ作業などにおける大量のデータの長期保管のためによく用いられる。典型的なテープデータ記憶および取出方法は、テープを縦に走るトラックへのデータの記録または書込と、テープからのそのようなデータトラックの取出または読出とを含む。磁気テープ記憶および取出システムにおいて複数ストライプヘッドを用いて、多くの平行トラックの書込および／または読出が行われ、当該ヘッドは、テープの幅に沿って軽く揺れてより多くのトラックを書込むおよび／または読出す能力を有する。レーザヘッドを用いる光学テープ記憶および取出システムも同様に動作する。
【００１６】
しかし、複数ストライプヘッド設計は、容量を増やすためにテープ長が長くなるにつれて、テープの端に記憶されたデータにアクセスするのにかかる時間が長くなるため、非効率になる。短いテープ長は長いテープ長よりもアクセス時間が短くなるが、データ記憶容量もより制限される。容量を増大させる幅広テープは、ヘッドにより多くのトランスデューサを必要とする。データスループットも、テープ幅およびヘッド数の要因である。複数ストライプヘッド設計に対する制限は、ヘッド数およびテープ全幅を含む。
【００１７】
大量のデータを消去する必要性は、データ記録システムおよび方法においてさまざまな問題を引起こす。磁気記録では、大量のデータの消去は強磁場によってバルク消去でなされ得る。磁気記録装置はランダムまたはブランクパターンを保証するために各データビットについて書込動作も用い得るが、これは時間がかかり得る。位相変化媒体を用いる光学記録装置はバルクデータ消去方法が不可能であり、ランダムまたはブランクビットの再書込はやはり時間がかかるであろう。
【００１８】
消去を確認するための読出後の消去サイクルを義務付けるデータセキュリティ要件も、磁気テープにおけるデータ消去方法の性能を妨げる。実際、そのような要件は、データが削除されたことを確かめるためにあらゆる手段を尽くし得る。厳しいセキュリティ基準を満たすために、繰返される消去サイクルは最大７回要求され得る。データがバルク消去方法で記憶媒体に書込まれると、データ完全性を検証することによって消去を確認するために情報をリードバックすることが必要である。典型的な光学記録装置（ＤＶＤ等）は、これら位相変化媒体が単一のレーザ要素を用いて容易にリードバックされないため、この機能を実行するように設計されていない。
【００１９】
ここに開示される改良されたテープ媒体データ記憶システムおよび方法は、回転ヘッドキャリッジアセンブリ上の使用可能な複数のヘッド要素を用いてバルクデータ消去を実行可能な回転ヘッド設計を含む。付加的な専用読出ヘッドを必要とせずにそのようにするために、既存の書込ヘッドが読出モードで利用される。書込要素が読出要素としても機能するため、費用および複雑性の低減が達成され、厳しいデータセキュリティ要件が満たされ得る。
【００２０】
次に図１を参照して、ここに開示されるテープデータ記憶および取出システムの実施形態の斜視図が示される。システム１０は、テープ駆動ユニットおよびヘッドキャリッジユニットを含む。テープ駆動ユニットは、光学テープであり得るテープ媒体１２と、支持サーボ駆動システム１４とを含む。テープ媒体１２は供給リール１６上に供給され得、供給リール駆動モータ２０および巻取リール駆動モータ２２のサーボ作用によって巻取リール１８に送られ得る。２つのモータ２０，２２は共に作用して、テープ経路に沿ったテープ１２のスムーズな動きを提供し得る。
【００２１】
図１に見ることができるように、テープ媒体１２は幅（ｗ）とテープ１２のそれぞれの端から伸びる長さ（ｌ）とを有し、これらの端は供給および巻取リール１６，１８に取付けられている（図示せず）。テープ１２はテープ経路に沿って、矢印２４によって示される方向に進む。テープ経路は、テープ１２がヘッドアセンブリ２８を通過するように駆動される際にテープ１２の制御を提供するのに役立つ一連のガイドローラ２６を有する。テープ１２に閉ループ動作制御を提供し、ヘッドアセンブリ２８に対してテープ張力および位置を正確に制御するために、サーボ制御システム（図示せず）を用いてもよい。
【００２２】
これも図１に見られるように、ヘッドアセンブリ２８は実質的にディスク形状であり得、テープ媒体１２に近接して実質的に円形かつ実質的に平面の作用面３０を含む。ヘッドアセンブリ２８は、テープ媒体１２にデータを記録するおよび／またはテープ媒体１２からデータを読出すための複数のヘッド３２を含み得る。その点について、ヘッドアセンブリ２８は、テープ媒体１２が矢印２４によって示される方向に動くと、矢印３４によって示される方向に動作時に回転する。図１の回転ヘッドデータ記憶および取出システムを、その開示全体が引用によって本明細書に援用される米国特許番号第８，２２５，３３９号および米国特許出願番号第１３／６２２，６０７号における付加的な特徴、構成要素、動作、機能および方法と共にさらに説明する。
【００２３】
次に図２および図３を参照して、ここに開示されるデータ記憶および取出システムの実施形態の上面図および側面図が示される。ここに見られるように、ヘッドアセンブリ２８はヘッドキャリッジユニット上に製作され得る。キャリッジユニットは、光学テープ１２に対するデータの実際の書込／読出または記録／取出を実行する複数の光学ピックアップユニット（ＯＰＵ）レーザアセンブリ３２を保持し得る。特定の数のＯＰＵ３２が図２に示されるが、任意の数のＯＰＵアセンブリ３２が用いられ得る。さらに、ＯＰＵ３２は、Ｂｌｕ−Ｒａｙ（商標）のディスクドライブに使用されるのと同様のアセンブリであり得る。
【００２４】
図２に見られるように、ＯＰＵアセンブリ３２は回転ヘッドキャリッジ２８上に半径方向に、固定半径で実質的に円形パターンに配置され得る。ＯＰＵアセンブリ３２をこのように位置決めすることによって、ヘッドアセンブリ２８が矢印３４によって示される方向に回転し、テープ１２が矢印２４によって示される方向に動くと、各ＯＰＵ３２′からの光ビームが実質的に等しい半径円弧をテープ媒体１２上に転記することが確実になり得る。
【００２５】
回転可能なヘッドアセンブリ２８はテープ媒体１２の下に装着され得る。回転可能なヘッドアセンブリ２８を支持するためにスピンドルシャフト４０が設けられ得る。ヘッドアセンブリ２８は、ヘッドアセンブリ２８に組込まれ得るヘッド駆動モータ４２によって回転駆動され得る。その点について、回転ヘッドアセンブリ２８に関連付けられる受動ロータ磁石４４が、テープ駆動ベース４６内に固定されるステータコイル（図示せず）のコミュテーションによって駆動され得る。
【００２６】
図３を参照して、ＯＰＵアセンブリ３２の機能およびデータ通信を制御するためにヘッドアセンブリ回路基板４８が設けられ得る。誘導結合５０を介してヘッド回路４８に電力が供給され得る。ＯＰＵアセンブリ３２へのおよびＯＰＵアセンブリ３２からのデータ信号は、誘導結合５０を介して送信され得る。テープ駆動ベース４６内に配置され得る回路基板５２によって、モータ制御およびさらなるデータ信号処理が行なわれ得る。
【００２７】
引続き図３を参照して、テープ媒体１２は、矢印２４によって示される方向においてヘッドアセンブリ２８上を通過する経路を進む。ヘッドアセンブリ２８はさらに、矢印３４によって示される方向に回転する。各ＯＰＵ３２からの光ビームがテープ媒体１２を通過することによって、実質的に同様の近似円弧５４の記録スポットのデータトラックがテープ媒体１２に転記され得る。テープ媒体１２がヘッド３２を通過することによって、真の円弧から記録されたデータトラックが、回転ヘッド３２の速度および動いているテープ１２の速度に比例して細長い円弧５４にスキューされるため、円弧５４は半径のみが近似している。
【００２８】
ＯＰＵアセンブリ３２からの回転レーザスポットが、テープ媒体１２および回転ヘッドアセンブリ２８の速度の関数としての間隔を互いに空けてデータトラック５４を個別に書込むようにテープ媒体１２の速度を制御するために、サーボ制御方法およびシステム（図示せず）を提供してもよい。その点について、テープ媒体１２とヘッドアセンブリ２８との相対速度は大きくてもよく、ヘッドアセンブリ２８の速度はＢｌｕ−ＲａｙのＤＶＤの記録速度をエミュレートし、テープ媒体１２の速度は非常に低くてもよい。この結果、テープ媒体１２および記録ヘッド３２の両方を動かすことによって、回転ヘッドアセンブリ２８を有するここに開示されるデータ記憶システムおよび方法は、非常に高いデータレートおよび非常に大きい記憶容量を提供し得る。
【００２９】
上述のように、ヘッドキャリッジアセンブリ２８は実質的にディスク形状であり得、テープ媒体１２に近接して実質的に円形かつ実質的に平面の作用面３０を含み得る。しかし、ヘッドアセンブリ２８および作用面３０は異なる形状および／または構成を有し得ることに留意すべきである。さらに、ＯＰＵアセンブリ３２は、テープ媒体１２およびヘッドキャリッジアセンブリ２８に対するＯＰＵ３２の動きを制御するためのサーボサブシステムを含み得、当該動きはヘッドキャリッジアセンブリ２８の作用面３０上のＯＰＵ３２の半径方向の動きを含む。
【００３０】
ここに開示されるシステム１０および方法によると、各ＯＰＵ３２はデータ完全性を検証するためにリード・アフター・ライトモードで用いられ得る。すなわち、各ＯＰＵ３２は、テープ媒体１２にデータを書込むように、かつテープ媒体１２からデータを読出すように動作し得る。このように、複数のレーザＯＰＵ３２を有する回転ヘッドアセンブリ２８は連続したアクティブＯＰＵ３２を利用して、テープ媒体１２にデータトラックが書込まれた直後に当該データトラックを読出す。回転ＯＰＵ３２はしたがって、回転ヘッドアセンブリ２８がテープ媒体１２を１回通過する際に、連続動作で同じデータトラック５４上に互いに上書き可能である。
【００３１】
このように、回転ヘッドアセンブリ２８はテープ媒体１２に対する書込／読出動作において複数のＯＰＵ３２を利用することによって、ヘッドアセンブリ２８がテープ１２を１回通過する際に複数の書込−読出サイクルが可能になる（たとえば７回以上の書込／読出サイクルによって、バルクデータ消去に関連付けられる厳しいデータセキュリティ要件を満たす）。ここに開示されるシステム１０および方法は、静止記録方法に対して改良されたデータ消去性能も提供する。
【００３２】
より特定的に、次に図１および図２を参照して、ここに開示される一実施形態では、第１のＯＰＵ３２がテープ媒体１２上のデータトラック５４に第１の文字（ランダムであり得る）を書込むか上書きし得、第１のＯＰＵ３２の直後の第２のＯＰＵ３２が当該データをリードバックし得、第３のＯＰＵ３２が次にデータトラック５４上の同じスポットに別の文字（ランダムであり得る）を書込むか上書きし得、第４のＯＰＵ３２が当該データをリードバックして完全性を検証し、したがってデータ消去を確認し得る。ヘッドアセンブリ２８およびＯＰＵ３２の回転によって、媒体１２がヘッドアセンブリ２８上をゆっくりと通過する間、ヘッドアセンブリ２８の１回のスワイプまたは回転時にそのような動作が可能になる。各ＯＰＵ３２はトラック追跡サーボモータ（図示せず）を利用して必要なデータトラック５４内にとどまることに再度留意すべきである。
【００３３】
次に図１〜図３を参照して、上述のように、回転運動に適合されたヘッドキャリッジユニット２８は、作用面３０に配置された複数のヘッド３２を含み得る。テープ駆動ユニットは、テープ媒体１２にヘッドキャリッジユニット２８の作用面３０を通過させるように構成され、テープ媒体１２の幅（ｗ）はヘッドキャリッジユニット２８の作用面３０の幅とほぼ等しくてもよい。ヘッドキャリッジユニット２８が回転してテープ１２が作用面３０を通過すると、複数のヘッドのうちの第１のヘッドがテープ１２にデータトラック５４を書込むまたは上書きするように適合、構成および／または位置決めされ得、複数のヘッド３２のうちの第２のヘッドがその後でデータトラック５４を読出すように適合、構成および／または位置決めされ得る。第２のヘッド３２によって読出されたデータはデータ消去を確認する際に用いられる。
【００３４】
上述のように、複数のヘッド３２は光学ヘッドを含み得、テープ媒体１２は光学テープを含み得、複数の光学ヘッド３２の各々は光学テープ１２にデータトラック５４を書込むように、かつ光学テープ１２からデータトラック５４を読出すように適合、構成および／または位置決めされ得る。ヘッドキャリッジユニット２８は実質的にディスク形状であり得、作用面３０は実質的に円形であり得、複数のヘッド３２は作用面３０上に円形に配列され得る。複数のヘッド３２のうちの第２のヘッドは複数のヘッド３２のうちの第１のヘッドに直接隣接して作用面３０上に配置され得、複数のヘッド３２の各々は、サーボサブシステムなどによって、作用面３０上でのヘッドキャリッジユニット２８に対する半径方向の動き用に構成され得る。
【００３５】
しかし、データトラック５４が書込まれた後にデータトラック５４を読出すように適合、構成および／または位置決めされる第２のヘッド３２は、第１のヘッド３２に直接隣接して作用面上に配置されなくてもよいことに留意すべきである。その点について、データトラック５４を読出すように適合、構成および／または位置決めされる第２のヘッド３２は、ヘッドアセンブリ２８が回転するとデータトラック５４を書込むように適合、構成および／または位置決めされる第１のヘッド３２に続く任意の他のヘッド３２であり得る。すなわち、データトラック５４を書込むように適合、構成および／または位置決めされるヘッド３２の後の第３の、第４のまたは任意の他のヘッド３２を利用して、データ消去を確認する際に用いられるデータトラック５４がその後で読出され得る。さらに、複数のヘッド３２を利用して、第１のヘッド３２によってデータトラック５４が書込まれた後に、冗長的にデータトラック５４を読出してもよい。
【００３６】
これも上述のように、ヘッドキャリッジユニット２８が回転してテープ１２が作用面３０を通過すると、複数のヘッド３２のうちの第３のヘッドがテープ１２にデータトラック５４を書込むように適合、構成および／または位置決めされ得、複数のヘッド３２のうちの第４のヘッドがその後でデータトラック５４を読出すように適合、構成および／または位置決めされ得る。そのような実施形態では、第４のヘッド５４によって読出されたデータはデータ消去を確認する際に再び用いられ得る。ここで再び、作用面３０上に互いに隣接するか他の方法で配置された任意の数または組合せのその後のヘッド３２を用いて、テープ１２上のデータトラック５４にデータを書込み、その後でデータトラック５４を読出すことができ、読出された当該データはデータ消去を確認する際に用いられる。
【００３７】
作用面３０上の複数のヘッド３２は代替的にヘッド３２の第１および第２の同心円を含み得、第１の円の直径は第２の円の直径よりも小さい。データトラック５４を書込むように適合、構成および／または位置決めされる複数のヘッド３２のうちの第１のヘッドはヘッド３２の第１の円に配置され得、データトラック５４が書込まれた後にデータトラック５４を読出すように適合、構成および／または位置決めされる複数のヘッド３２のうちの第２のヘッドはヘッド３２の第２の円に配置され得る。テープ媒体１２の幅（ｗ）は複数のヘッド３２の円の直径よりも小さくてもよく、または代替的に、幅（ｗ）は複数のヘッド３２の円の直径よりも大きくてもよい。
【００３８】
次に図４を参照して、ここに開示されるデータ記憶および取出方法６０の実施形態の簡略化したフローチャートが示される。ここに見られるように、方法６０は、作用面に配置された複数の光学ヘッドを有するヘッドキャリッジユニットを回転させるステップ６２と、テープにヘッドキャリッジユニットの作用面を通過させるステップ６４とを含み得る。方法６０は、ヘッドキャリッジユニットが回転してテープが作用面を通過すると、複数の光学ヘッドのうちの第１のヘッドを用いて光学テープ媒体にデータトラックを書込むステップ６６をさらに含み得る。その点について、複数の光学ヘッドのうちの第１のヘッドを用いてデータトラックにデータを書込むステップ６６は、複数の光学ヘッドのうちの第１のヘッドを用いてデータトラックにデータを上書きするステップを含み得る。方法６０は、ヘッドキャリッジユニットが回転してテープが作用面を通過すると、複数の光学ヘッドのうちの第２のヘッドを用いてデータトラックを読出すステップ６８をさらに含み得、第２の光学ヘッドによって読出されたデータはデータ消去確認の際に用いられる。
【００３９】
ここで再び、図１〜図３に関して上で述べたように、ここに開示されるデータ記憶方法の実施形態によると、ヘッドキャリッジユニット２８は実質的にディスク形状であり得、作用面３０は実質的に円形であり得、複数のヘッド３２は作用面３０上に円形に配列され得る。複数のヘッド３２のうちの第２のヘッドは複数のヘッド３２のうちの第１のヘッドに直接隣接して作用面３０上に配置され得、複数のヘッド３２の各々は、サーボサブシステムなどによって、作用面３０上でのヘッドキャリッジユニット２８に対する半径方向の動き用に構成され得る。
【００４０】
引き続き図４を参照して、ここに開示される一実施形態では、方法６０は、ヘッドキャリッジユニットが回転してテープが作用面を通過すると、複数の光学ヘッドのうちの第３のヘッドを用いてデータトラックにデータを書込むステップ７０をさらに含み得る。その点について、複数の光学ヘッドのうちの第３のヘッドを用いてデータトラックにデータを書込むステップ７０は、複数の光学ヘッドのうちの第３のヘッドを用いてデータトラックにデータを上書きするステップを含み得る。方法６０は、ヘッドキャリッジユニットが回転してテープが作用面を通過すると、複数の光学ヘッドのうちの第４のヘッドを用いてデータトラックを読出すステップ７２をさらに含み得る。そのような実施形態では、第４の光学ヘッドによって読出されたデータはデータ消去確認の際に用いられ得る。この実施形態では、複数の光学ヘッドのうちの第３のヘッドは複数の光学ヘッドのうちの第２のヘッドに直接隣接して作用面上に配置され得、複数の光学ヘッドのうちの第４のヘッドは複数の光学ヘッドのうちの第３のヘッドに直接隣接して作用面上に配置され得る。
【００４１】
これも図１〜図３に関して上で述べたように、ここに開示されるデータ記憶方法６０によると、複数のヘッドの各々は、サーボサブシステムなどによって、作用面上でのヘッドキャリッジユニットに対する半径方向の動きに適合、構成および／または位置決めされ得る。代替的に、作用面３０上の複数のヘッド３２はヘッド３２の第１および第２の同心円を含み得、第１の円の直径は第２の円の直径よりも小さい。データトラック５４を書込むように適合、構成および／または位置決めされる複数のヘッド３２のうちの第１のヘッドはヘッド３２の第１の円に配置され得、データトラック５４が書込まれた後にデータトラック５４を読出すように適合、構成および／または位置決めされる複数のヘッド３２のうちの第２のヘッドはヘッド３２の第２の円に配置され得る。テープ媒体の幅（ｗ）は複数の光学ヘッド３２の円の直径よりも小さくても大きくてもよい。
【００４２】
上記の説明から明らかであるように、回転ヘッド設計を有する改良されたテープ媒体データ記憶および取出システムならびに方法が提供される。回転ヘッドキャリッジアセンブリ上の使用可能な複数のヘッド要素を用いて、バルクデータ消去が実行され得る。付加的な専用読出ヘッドを必要とせずにそのようにするために、既存の書込ヘッドが読出モードで利用される。書込要素が読出要素としても機能するため、厳しいデータセキュリティ要件が満たしつつ、費用および複雑性の低減が達成され得る。
【００４３】
テープ媒体および回転ヘッドを利用するデータ記憶および取出システムならびに方法の一定の実施形態をここに図示および説明したが、それらは例示的なものに過ぎず、これらの実施形態がすべての可能な実施形態を図示および説明していることを意図していない。むしろ、ここに使用される用語は限定ではなく説明の用語であり、以下の特許請求の範囲の思想および範囲から逸脱することなくさまざまな変更がなされ得ることが理解される。
【図１】
2015533446.tif 000003
【図２】
2015533446.tif 000004
【図３】
2015533446.tif 000005
【図４】
2015533446.tif 000006
【国際調査報告】
2015533446.tif 000007
2015533446.tif 000008
2015533446.tif 000009